(57)【要約】【課題】品質の安定した透明層を製造することが可能な光情報記録媒体用の透明層の製造装置を提供する。【解決手段】基材フィルムとなるベースＢの原反１からベースＢを搬送させつつベースＢにハードコート層を形成して、光情報記録媒体用の透明層を製造する光情報記録媒体用の透明層の製造装置１０であって、ベースＢにハードコート層を形成するための塗布液を塗布する塗布部２と、ベースＢに塗布された塗布液を乾燥する乾燥部４と、乾燥部４で乾燥後の塗布液を硬化させるための紫外線を、ベースＢの塗布液が塗布された面に照射する紫外線照射部５とを備え、紫外線照射部５は、ベースＢの搬送速度の基準となる駆動ローラ１５を含み、駆動ローラ１５によってベースＢを搬送させながら光源１６により紫外線を照射する。【選択図】図１
2006082050.tif 000002
【特許請求の範囲】
【請求項１】
基材フィルムとなるベースの原反から前記ベースを搬送させつつ前記ベースにハードコート層を形成して、光情報記録媒体用の透明層を製造する光情報記録媒体用の透明層の製造装置であって、
前記ベースに前記ハードコート層を形成するための塗布液を塗布する塗布部と、
前記ベースに塗布された塗布液を乾燥する乾燥部と、
前記乾燥部で乾燥後の塗布液を硬化させるための光を、前記ベースの前記塗布液が塗布された面に照射する光照射部とを備え、
前記光照射部は、前記ベースの搬送速度の基準となる駆動ローラを含み、前記駆動ローラによって前記ベースを搬送させながら前記光を照射する光情報記録媒体用の透明層の製造装置。
【請求項２】
請求項１記載の光情報記録媒体用の透明層の製造装置であって、
前記塗布部は、後計量型の塗布方式によって塗布を行うものである光情報記録媒体用の透明層の製造装置。
【発明の詳細な説明】
【技術分野】
【０００１】
本発明は、基材フィルムとなるベースの原反から前記ベースを搬送させつつ前記ベースにハードコート層を形成して、光情報記録媒体用の透明層を製造する光情報記録媒体用の透明層の製造装置に関する。
【背景技術】
【０００２】
現在、デジタル・ハイ・ビジョンＴＶ放送の録画に対応するため、高密度光情報記録媒体（ＤＶＤ）よりも更に高密度記録を可能とする光情報記録媒体の研究が進められており、青紫色レーザと高ＮＡ（開口数（Numerical Aperture））ピックアップとを使用した光ディスクシステムが開発されている。
【０００３】
このような光ディスクシステムとしては、例えば、ブルー・レイ・ディスク（Blue-ray Disk）と称される次世代光ディスク規格がある。ブルー・レイ・ディスクは、基板上に記録層と、該記録層のレーザ入射側に透明層とを備えた光情報記録媒体である。透明層は、例えば下記特許文献１に示すように、ポリカーボネートからなる光透過層の表面に、傷付き防止のためのハードコート層が塗布されてなる。
【０００４】
上記透明層を製造する製造装置は、例えば、透明層の基材フィルムとして用いられるポリカーボネート製ベースを巻芯に巻回して得られるベース原反と、ベース原反からベースを送り出して搬送するための駆動ローラと、駆動ローラによって搬送されるベースにハードコート層を形成するための紫外線硬化性組成物を塗布部材によって塗布する塗布部と、塗布部により塗布された紫外線硬化性組成物を乾燥する乾燥部と、乾燥部により乾燥された紫外線硬化性組成物を紫外線照射により硬化させる紫外線照射部と、紫外線照射部を通過したベースを巻芯に巻き取る巻取部とを備える。
【０００５】
上記製造装置は、ベースの送り出し、紫外線硬化性組成物の塗布、紫外線硬化性組成物の乾燥、紫外線硬化性組成物への紫外線照射、及びベースの巻き取り等において、それぞれの処理が一定のハンドリング状態でなされるように、駆動ローラによりベースの搬送速度が制御されている。従来は、塗布部と乾燥部との間に設けられた駆動ローラであるプルロールがベースＢの搬送速度の基準となるロールとなっており、このプルロールが制御されることで、所定の速度でベースＢを搬送させている。
【０００６】
【特許文献１】特開２０００−６７４６８号公報
【発明の開示】
【発明が解決しようとする課題】
【０００７】
上記透明層は、紫外線照射部による紫外線照射処理の条件によって、その品質が大きく左右される。ところが、従来では、紫外線照射部から離れた位置にあるプルロールによってベースＢの搬送速度が決定されているため、紫外線照射部による紫外線照射処理の条件を一定にすることが難しく、透明層の品質を安定させるのが困難であった。
【０００８】
本発明は、上記事情に鑑みてなされたものであり、品質の安定した透明層を製造することが可能な光情報記録媒体用の透明層の製造装置を提供することを目的とする。
【課題を解決するための手段】
【０００９】
本発明の光情報記録媒体用の透明層の製造装置は、基材フィルムとなるベースの原反から前記ベースを搬送させつつ前記ベースにハードコート層を形成して、光情報記録媒体用の透明層を製造する光情報記録媒体用の透明層の製造装置であって、前記ベースに前記ハードコート層を形成するための塗布液を塗布する塗布部と、前記ベースに塗布された塗布液を乾燥する乾燥部と、前記乾燥部で乾燥後の塗布液を硬化させるための光を、前記ベースの前記塗布液が塗布された面に照射する光照射部とを備え、前記光照射部は、前記ベースの搬送速度の基準となる駆動ローラを含み、前記駆動ローラによって前記ベースを搬送させながら前記光を照射する。
【００１０】
この構成により、ベースの搬送速度の基準となる駆動ローラによってベースを搬送させながら光を照射するため、塗布液が硬化されるときの条件を一定にすることができ、品質の安定した透明層を製造することができる。
【００１１】
本発明の光情報記録媒体用の透明層の製造装置は、前記塗布部が後計量型の塗布方式によって塗布を行うものである。
【発明の効果】
【００１２】
本発明によれば、品質の安定した透明層を製造することが可能な光情報記録媒体用の透明層の製造装置を提供することができる。
【発明を実施するための最良の形態】
【００１３】
本発明でいう、光情報記録媒体とは、光学的手段によって情報信号を再生可能な情報記録媒体である。本発明の光情報記録媒体は、基本的に、基板と、記録層と、透明層とから構成される。また、光情報記録媒体において、これらの構成要素は発明内容を阻害しない範囲で相互に入れ替え又は組み合せもよい。光情報記録媒体において、これらの構成要素は、少なくとも１つずつ存在することが必要であるが、各々は複数層存在してもよく、１つの層が組成や特性の異なる複数の層から構成されてもよい。さらに、光情報記録媒体には、上記の層以外にも、静電気防止層、潤滑層、保護層、反射層などを設けてもよい。また、基板の記録層とは反対側にレーベル印刷が施されていてもよい。
【００１４】
光情報記録媒体は、例えば、ディスク形状を有し、直径など寸法は制限されない。光情報記録媒体は、カートリッジ筐体に収容保持された構成としてもよい。
【００１５】
透明層は、記録再生のために照射された光を記録層に導く機能を有するとともに、記録層を化学的且つ機械的に保護する機能を有している。本発明において「透明」とは、記録再生に用いる光学的手段の光の波長（例えば、６００ｎｍから８００ｎｍや３５０ｎｍから４５０ｎｍ）に対して光透過率７０％以上、望ましくは８５％以上であることを意味する。尚、カバー層の透過率は９０％〜９２％である。
【００１６】
透明層は、基材フィルム（透光性フィルム）を有し、その表面に傷付き防止のためのハードコート層が設けられたものであり、また、適宜に、粘着層や防汚層を含むことができる。基材フィルムとしては、例えば、ポリカーボネート、トリアセチルセルロース（ＴＡＣ）、ポリエチレンテレフタレート（ＰＥＴ）、ポリエチレンナフタレート（ＰＥＮ）、ポリイミド、ポリアミド等を用いることができる。
【００１７】
ハードコート層は、活性エネルギー光線、好ましくは紫外線照射により硬化する紫外線硬化性組成物を基材フィルム上に塗布、乾燥した後、紫外線の照射により該組成物を硬化させることで形成される。紫外線硬化性組成物には、紫外線照射により重合又は架橋して硬化する同一分子内に２個以上のエチレン性不飽和基を含む化合物が、好ましく使用される。
【００１８】
ハードコート層は、その厚さが１．０μｍから１０．０μｍが好ましく、２．０μｍから６．０μｍがより好ましく、２．５μｍから５．０μｍであることが特に好ましい。
【００１９】
ハードコート層の鉛筆硬度としては、Ｂ以上であることが好ましく、Ｈ以上であることがより好ましい。ここでいう鉛筆硬度とは、ＪＩＳ−Ｓ−６００６が規定する試験用鉛筆を用いて、ＪＩＳ−Ｋ−５４００が規定する鉛筆硬度評価方法に従い、９．８Ｎの荷重において傷が認められない鉛筆の硬度として求めることができる。
【００２０】
以下、本発明に係る透明層の製造システムの実施形態を図面に基づいて詳しく説明する。
図１は、本発明に係る光情報記録媒体用の透明層の製造装置の概略構成を示す図である。
図１に示すように、透明層の製造装置１０は、ポリカーボネートからなるベースＢを巻芯に巻回させてなるベース原反（バルク）１と、該ベースＢを巻芯に巻き取って保持する巻取ロール６との間で、ベース原反１から巻取ロール６へ送り出すことによってベースＢを搬送させる構成である。ベースＢの厚さは、８０μｍから１００μｍとする。
【００２１】
製造装置１０は、ベースＢの搬送方向に沿って、順に、塗布部２と、パスローラ３と、乾燥部４と、紫外線照射部５（特許請求の範囲の光照射部に該当）とを備えている。
【００２２】
塗布部２は、図示しない塗布液供給部に接続された塗布部材１３と塗布ロッド１４とを備える。塗布部２は、塗布液供給部から過剰な塗布液をベースＢに転移させた後、静止もしくは、ベースＢと順方向および逆方向に任意の周速で回転している塗布ロッド１４により過剰な塗布液を掻き落として、所望の塗布量をベースＢに塗布する、いわゆる後計量型の塗布方式によって塗布を行うものである。塗布部２としては、例えばブレードコーター、ロッドバーコーター、ワイヤーバーコーター等を用いることができる。後計量型の塗布方式では、塗布液を高速で塗布することができる。
【００２３】
塗布部材１３は、ベースＢに塗布ロッド１４を押圧する位置（ラップする位置）と、ベースＢから塗布ロッド１４を離間させた位置とに任意に設定できるように移動可能な部材である。本実施形態の製造装置１０において、塗布時に塗布部材１３を移動させることで塗布ロッド１４がベースＢに押圧する位置とし、塗布時以外には、塗布ロッド１４がベースＢに対して離間する位置とする構成である。
【００２４】
本実施形態において、塗布液としては、一例として、イソプロピルアルコール（ＩＰＡ）、メチルエチルケトン（ＭＥＫ）、メチルエチルブチルケトン（ＭＩＢＫ）等の溶剤と、Ｓｉ粒子と、紫外線硬化性樹脂と、重合開始剤とからなる組成物を用いた。
【００２５】
パスローラ３は、搬送されるベースＢに従って回転自在な構成である。本実施形態において、パスローラ３は、駆動軸や駆動モータ等の駆動系に接続されていないフリーローラである。
【００２６】
乾燥部４は、ベースＢを搬送させつつ、該ベースＢに塗布された塗布液を乾燥させるものである。
【００２７】
紫外線照射部５は、駆動ローラ１５と、紫外線（紫外光）を照射する光源１６とを備え、ベースＢを駆動ローラ１５により搬送させた状態で、ベースＢにおける塗布液が塗布された面に光源１６から紫外線を照射し、塗布層を硬化させるものである。ここで、紫外線照射部５は、塗布液を硬化させることができれば、紫外線以外の活性エネルギーの光を照射する構成としてもよい。
【００２８】
駆動ローラ１５は、装置動作中に回転駆動し、その周面においてベースＢと接触して該ベースＢを搬送するものであり、ベースＢの搬送速度の基準となるローラである。駆動ローラ１５は、図示しないローラ制御部に制御され、一定の速度でベースＢを搬送させる。駆動ローラ１５は、ベースＢに対する保持力を確保するため、表面に溝が設けられた構成としても良く、又、エアを吸引することでベースＢを吸着保持する構成としても良い。
【００２９】
次に、塗布部の構成を説明する。図２は、本実施形態における塗布部の構成を説明する図である。
図２に示すように、ベースＢの搬送方向における、塗布部材１３の上流側にはパスローラ１１が設けられ、塗布部材１３の下流側にはパスローラ１２が設けられている。
【００３０】
パスローラ１１，１２は、搬送されるベースＢに従って回転自在な構成である。本実施形態において、これらパスローラ１１，１２は、駆動軸や駆動モータ等の駆動系に接続されていないフリーローラである。
【００３１】
塗布時に、搬送されるベースＢに塗布部材１３が接触することで該ベースＢの搬送経路長が変化しても、搬送されるベースＢを支持するパスローラ１１，１２がフリーローラであるため、搬送されるベースＢの速度に追従するように、パスローラ１１，１２が自由に回転するようになる。このため、ベースＢとパスローラ１１，１２との接触圧が変わることに起因してスティックスリップが発生することがなく、ベースＢがパスローラ１１，１２と接触する部位において座屈してしまうことを防止することができる。
【００３２】
以下、図１の製造装置１０の動作について説明する。
ベース原反１から送り出されたベースＢは、パスローラ１１を通過して塗布部２に到達し、ここで塗布液が塗布される。塗布液が塗布されたベースＢは、パスローラ１２、パスローラ３を通過して乾燥部４に到達し、ここで塗布された塗布液が乾燥される。塗布液が乾燥されたベースＢは、紫外線照射部５に到達する。紫外線照射部５では、ベースＢが駆動ローラ１５の周面に接触して一定の速度で搬送されつつ、ベースＢの塗布液が塗布された面に光源１６から紫外線が照射されることにより、塗布液が硬化される。紫外線照射部５を通過したベースＢは、巻芯に巻き取られ、巻取ロール６が形成される。
【００３３】
以上のように、製造装置１０によれば、ベースＢに紫外線が照射される際、ベースＢの搬送速度は、駆動ローラ１５によって一定に制御されているため、ベースＢの全体に渡って、紫外線照射の処理の条件が一定となる。このため、透明層の品質を安定させることができる。
【００３４】
又、塗布部２として、後計量型の塗布装置を用いているため、塗布液の塗布処理時のベースＢの搬送速度に影響されることなく、紫外線照射処理時のベースＢの搬送速度を一定にすることができる。仮に、塗布部２として前計量型の塗布装置を用いた場合は、紫外線照射処理時のベースＢの搬送速度が、塗布液の塗布処理時のベースＢの搬送速度の変化に影響されてしまうため、駆動ローラ１５の回転速度を一定にすることができないが、本実施形態によればそのようなことはない。
【００３５】
なお、本発明は、前述した実施形態に限定されるものではなく、適宜な変形、改良などが可能である。
【図面の簡単な説明】
【００３６】
【図１】本発明に係る光情報記録媒体用の透明層を製造する製造装置の構成を説明する図である。
【図２】図１の製造装置における塗布部の構成を説明する図である。
【符号の説明】
【００３７】
Ｂ    ベース
１    ベース原反
２    塗布部
３    パスローラ
４    乾燥部
５    紫外線照射部
６    巻取ロール
１０    （光情報記録媒体用の透明層の）製造装置
１５  駆動ローラ
１６  光源
【図１】
2006082050.tif 000003
【図２】
2006082050.tif 000004